(57)【要約】【課題】ロープのねじれを最小限に抑えることができる遊具用ロープ及び、これを用いたブランコ、遊具装置の提供。【解決手段】本発明は、遊具装置に垂下される前後に揺動可能なブランコ状遊具に用いられる遊具用ロープ１００及び、これを用いたブランコ、遊具装置である。そして、本発明の遊具用ロープ１００は、ねじれに対する耐久性を有する軸芯１１０と、当該軸芯１１０を被覆する弾性部材１３０を備える。更に、遊具用ロープ１００に、遊具装置及びブランコ状遊具の座部とを連結する連結部材１２０とを備えることを特徴とする。【選択図】図１
2012100725.tif 000002
【特許請求の範囲】
【請求項１】
遊具装置に垂下される前後に揺動可能なブランコ状遊具に用いられる遊具用ロープにおいて、
ねじれに対する耐久性を有する軸芯と、当該軸芯を被覆する弾性部材を備え、
前記遊具用ロープに、前記遊具装置及び前記ブランコ状遊具の座部とを連結する連結部材とを備えることを特徴とする遊具用ロープ。
【請求項２】
前記ねじれに対する耐久性を有する軸芯が、棒状体、可撓性のホースの内いずれか一種である、請求項１に記載の遊具用ロープ。
【請求項３】
前記弾性部材が、可撓性の装飾シートで被覆した衝撃吸収材である、請求項１に記載の遊具用ロープ。
【請求項４】
前記連結部材が、紐状体である請求項１に記載の遊具用ロープ。
【請求項５】
請求項１から４いずれか一項に記載の遊具用ロープを用いたブランコであって、
前記ブランコの座部に前記遊具用ロープの連結部材を接続し、
前記座部に接触しない前記連結部材の部分に前記ねじれに対する耐久性を有する軸芯と、当該軸芯を被覆する弾性部材を備えるブランコ。
【請求項６】
請求項５に記載のブランコを複数備えた遊具装置であって、
互いに隣り合う前記ブランコの前後方向が、異なる方向を向くように、当該ブランコを配置した遊具装置。
【発明の詳細な説明】
【技術分野】
【０００１】
本発明は、遊具装置に備えられる部材に関し、特に遊具用ロープや、これを用いたブランコ及び、遊具装置である。
【背景技術】
【０００２】
いわゆるブランコ（ブランコあるいは踏み台が２本の鎖で吊り下げられている構造の遊具をいう以下同じ。）は、構造が簡単であることから、公園や、遊園地等によく設置されている。上記ブランコは平衡感覚を高める遊具として保護者にも人気がある。下記特許文献１には、上記ブランコの一例が開示されている。
【先行技術文献】
【特許文献】
【０００３】
【特許文献１】特開２００９−１００９９２号公報
【発明の概要】
【発明が解決しようとする課題】
【０００４】
上記特許文献に開示の技術のように、ブランコは構造が簡単であるので、遊具設置者からの需要が多い。しかしながら、支持体に垂下されたブランコあるいは踏み台が前後に振れるという単調な動作を繰り返すだけなので、遊戯するユーザ（幼児や年少の子供を想定している）の興味を持続させることが困難であった。更に、上記ブランコ等に用いられるロープは、絡まり易いことが多いので、幼児や年少の子供が体の一部を挟むこともあった。更に、当該ブランコを複数設置する際には水平に支持された支持棒に沿って上記ブランコを並べることになるので、設置面積を広く取る必要があった。本発明の目的は、室内遊園地等で設置される遊具装置で使用される遊具用ロープ、及びこれを用いたブランコ型の遊具装置であって、設置面積をできるだけ取らない簡単な構成の遊具装置を提供することにある。
【課題を解決するための手段】
【０００５】
上記課題を達成するための本発明は、遊具装置に垂下される前後に揺動可能なブランコ状遊具に用いられる遊具用ロープを前提とする。そして、本発明の遊具用ロープは、ねじれに対する耐久性を有する軸芯と、当該軸芯を被覆する弾性部材を備える。更に、遊具用ロープに、遊具装置及びブランコ状遊具の座部とを連結する連結部材とを備えることを特徴とする。
【０００６】
上記のように、ねじれに対する耐久性を有する軸芯を被覆する構成を採用することで、上記遊部用ロープのねじれを最小限に抑えることができるので、ロープ同士が絡まって、ユーザの体の一部を挟むことを防止することができる。
ねじれに対する耐久性を有する軸芯として、棒状体、可撓性のホースの内いずれか一種を選択することができる。弾性部材として、可撓性の装飾シートで被覆した衝撃吸収材を採用することが望ましい。更に、連結部材として、紐状体を採用することが望ましい。
【０００７】
上記の構成の遊具用ロープはねじれを効果的に防止することができるので、遊具装置の連結部材として採用することができる。特に、ブランコの持ち手に採用することが望ましい。上記の構成の遊具用ロープを用いたブランコは以下のように構成できる。すなわち、ブランコの座部に遊具用ロープの連結部材を接続し、座部に接触しない連結部材の部分にねじれに対する耐久性を有する軸芯と、当該軸芯を被覆する弾性部材を備える。
【０００８】
上記のように本発明の遊具用ロープはねじれを効果的に防止することができるので、上記遊具用ロープを備えたブランコを遊具装置に配置することが望ましい。例えば、上記の構成のブランコを複数備えた遊具装置は以下のように構成することができる。すなわち、互いに隣り合うブランコの前後方向が、異なる方向を向くように、当該ブランコを遊具装置に配置することで、複数のブランコを遊具装置に配置したとき、ブランコが前後方向に振れたとしても、当該ブランコ同士が接触することを最小限に抑えることができる。
【発明の効果】
【０００９】
本発明は、遊具装置に垂下される前後に揺動可能なブランコ状遊具に用いられる遊具用ロープ及び、これを用いたブランコ、遊具装置である。そして、本発明の遊具用ロープは、ねじれに対する耐久性を有する軸芯と、当該軸芯を被覆する弾性部材を備える。更に、遊具用ロープに、遊具装置及びブランコ状遊具の座部とを連結する連結部材とを備えることを特徴とする。上記のように、ねじれに対する耐久性を有する軸芯を被覆する構成を採用することで、上記遊部用ロープのねじれを最小限に抑えることができるので、ロープ同士が絡まって、ユーザの体の一部を挟むことを防止することができる。従って、上記遊具用ロープを遊具装置に備えることで、ユーザの安全に配慮した遊具装置を構成することが可能となる。
【図面の簡単な説明】
【００１０】
【図１】本発明の実施形態に係る遊具用ロープの全体構成を示す概念図である。
【図２】本発明の実施形態に係る遊具用ロープを備えたブランコの全体構成を示す概念図である。
【図３】本発明の実施形態に係る遊具装置の全体構成を示す概念図である。
【図４】本発明の実施形態に係る遊具装置の全体構成を示す概念図である。
【図５】遊具装置本体を示す概念図である。
【発明を実施するための形態】
【００１１】
（実施の形態１）
以下に、本発明の遊具用ロープ１００について図面を参照して説明する。図１は、本発明の遊具用ロープ１００の全体構成を示す概略模式図であり、図２は本発明の遊具用ロープを備えたブランコ２００の概略模式図である。図３、図４は上記ブランコ２００を備えた遊具装置の概略模式図であり、図５は、遊具装置本体の概略模式図である。ただし、本発明に直接には関係しない各部の詳細は省略している。
【００１２】
本発明の遊具用ロープ１００は、当該ロープ１００同士が絡まることを防止する構成を備えている。例えば、軸芯を弾性部材で被覆した遊具部材を例えば後述のブランコ２００のロープ１００に採用する構成を採用する。本実施例では、プラスチック等の高分子樹脂で形成された軸芯１１０（本発明のねじれに対する耐久性を有する軸芯１１０に相当する。なお、ブランコ２００のロープ１００が絡まらない程度の長さを必要とする。）を布製シート（本発明の連結部材１２０に相当する。）で筒状に縫製被覆する（上記のように縫製被覆された布製シートを以下では、上下を開口した筒体と称す）。或いは、上記布製シートの長手方向両端を縫製等で閉塞して上記上下を開口した筒体を形成し、当該筒体の内部に上記軸芯１１０を収容する。そして、当該軸芯１１０を縫製被覆した筒体を上記座部及び、後述の遊具装置本体に連結し、上記筒体の表面をウレタン等の弾性部材１３０で被覆する構成が採用できる。なお、上記軸芯１１０の素材は、ロープ１００が絡まらない程度の硬さがあれば限定されない。例えば、チェーン、ゴムホース（本発明の可撓性のホースに相当する）等でも構わない。各遊具装置用ブランコ２００に、一対の上記ロープ１００が備えられる構成を採用してもよいし、一本の紐状体を上記座部に縫製等で接続し、ユーザが持つ部分（ブランコ２００の座部に接触しない部分をいう）に上記軸芯１１０を被覆し、全体を弾性部材１３０で被覆する構成を採用しても構わない。弾性部材１３０を装飾シート１４０で被覆することで、本発明の遊具用ロープ１００を構成する。
【００１３】
次に、本発明の遊具用ロープ１００を備えたブランコ２００について説明する。ブランコ２００の座部２１０として、弾性部材でボールを形成する。例えば、弾性シートをボール状に形成し、空気により膨らむボールを当該弾性シートにより包むことで上記座部２１０とする。次に上記座部２１０を垂下するために、上記ロープ１００を当該座部２１０に接続する。例えば、上記座部２１０の弾性ボール半円周に沿って上記ロープ１００の連結部材１２０と、当該弾性ボールとを縫製等により接続することで本発明の遊具装置用ブランコ２００が構成される。上記座部２１０とロープ１００との接続部分に補強材を設けても構わない。上記座部２１０はボールの他に、筒状、矩形状等任意の形状が採用される。
【００１４】
次に、上記のように構成した遊具装置用ブランコを垂下した遊具装置３００を説明する。図３、図４、図５に示すように、本発明の遊具装置３００は、基板３１０に立設した支柱３１５と、当該支柱３１５上方から回転可能に垂下されたアーム３２０を備える。なお、上記遊具装置３００に取り付ける駆動モータ２１０については後述する。まず、所定の基板３１０を形成する。本実施例では、図３、図４に示すような上面視八角形の基板３１０を形成した。そして、上記基板３１０中央に備えた支柱固定部材（図示しない）に、支柱３１５を立設することになる。上記基板３１０の形状は八角形に限らない。但し本発明の遊具装置３００は、後述のように、駆動モータ４１０を支柱上部に取り付けるため、当該駆動モータ４１０を取り付けた支柱３１５を安定に立設できることが必要である。上記基板３１０に立設される支柱３１５は、後述の駆動モータ設置装置４００を嵌合可能なように、内部が空洞の円筒を用いることが望ましい。
【００１５】
次に、上記駆動モータ４１０を支柱３１５上部に配置するための駆動モータ設置装置４００を形成する。上記駆動モータ設置装置４００は、上部回転体４２０と下部固定部材４５０とを有する。上部回転体４２０は、駆動モータ４１０を支持する駆動モータ支持部４３０及び、アーム３２０（ユーザが掴まるための部材を称する。以下同じ。）を支持するアーム支持部４４０を備える。そして、上部回転体４２０は、下部固定部材４５０に対して同心軸に支持され、上部回転体４２０が上記同心軸周りに回転可能に支持されている。更に、駆動モータ４１０はその回転軸を下にした状態で上記上部回転体４２０に支持され、駆動モータ４１０の回転軸が回転すると、当該上部回転体４２０が下部固定部材４５０の同心軸周りに回転するように構成されている。すなわち、例えば固定板４６２上面中心にシャフト４６０を立設し、当該シャフト４６０を上部回転体４２０に形成された貫通孔に回転可能に貫通させる。そして、上記駆動モータ４１０により回転可能なカップリングを上記シャフト４６０に固定することで、当該駆動モータ４１０の回転軸が回転すると、駆動モータ４１０を支持している上部回転体４２０が上記シャフト４６０を軸として回転することになる。なお、上記固定板４６２及び、シャフト４６０が、下部固定部材４５０に相当する。
【００１６】
更に、本実施例では、上記上部回転体４２０にアーム３２０を支持するアーム支持部４４０を備える。例えば、図５（Ａ）に示すように、円周上に複数の管体（例えばパイプ４４２）を並べ、当該複数のパイプ４４２の内径と同一形状の孔を形成した上下板（２枚の板４４４，４４６で構わない）で当該複数のパイプ４４２を挟むことでアーム支持部４４０を形成する。従って、上記アーム支持部４４０は、上記複数のパイプ４４２の孔が貫通した状態で当該複数のパイプ４４２が上下板４４４，４４６で挟まれた構成である。もちろん、上記アーム支持部４４０の中央は上記シャフト４６０が回転可能に貫通する程度の孔が形成されることになる。
【００１７】
一方、上記アーム支持部４４０に支持されるアーム３２０には、その一方端部から所定距離離れた箇所にフランジが形成される。そして、上記アーム支持部４４０に形成された孔に上記アーム３２０の上記フランジが形成された方の端部を挿入することで、アーム３２０が支持される構成を採用する。
なお、駆動モータ支持部４３０は、図５（Ａ）に示すように、上記アーム支持部４４０の上面に設けられる。上記のように駆動モータ支持部４３０は、駆動モータ４１０の回転軸を下にした状態で支持可能な構成を採用する。例えば、上記アーム支持部４４０の上面に駆動モータ支持台を形成する。そして、駆動モータ支持台の天板には、駆動モータ４１０の回転軸が貫通可能な孔が形成される。上記アーム支持部４４０上面に上記駆動モータ支持台を配置することで、上部回転体４２０が形成される。そして、上記上部回転体４２０を下部固定部材４５０に回転可能に支持し、駆動モータ４１０の回転軸と上記下部固定部材４５０のシャフト４６０とを例えばカップリングとで連結することで、本発明の駆動モータ設置装置４００が形成される。上記の構成であれば、上記カップリングを介して、上記駆動モータ４１０の回転が上記シャフト４６０に伝えられ、上部回転体４２０が下部固定部材４５０に対して回転する構成となる。
【００１８】
そして、上記のように構成した駆動モータ設置装置４００を上記支柱３１５に取り付けることで、本発明の遊具装置本体が形成される。すなわち、上記支柱３１５上部に上記駆動モータ設置装置４００の下部固定部材４５０を嵌合し、ボルト、ナット等の固定手段で固定することで、図５（Ｂ）に示すような、上部に駆動モータ４１０が配置された遊具装置本体が形成される。
【００１９】
上記のように構成した遊具装置本体に本発明の遊具装置用ブランコ２００が配置される。このとき、たがいに隣接するブランコ２００（上記遊具装置用ブランコ２００）の前後方向が異なるように当該遊具装置用ブランコ２００が配置される。例えば、上記遊具装置用ブランコ２００に備わる一対のロープ１００を取り付ける上記アーム３２０の先端同士を仮想線で連結したとき、たがいに隣接する上記仮想線同士が所定角度ずれるように、上記各アーム３２０を配置する構成を採用する。もちろん、遊具用ロープ１００の連結部材１２０を上記遊具装置本体のアーム３２０に連結することになる。なお、図４に示すように、たがいに隣接するブランコ２００が直交する構成を採用しても構わない。
【産業上の利用可能性】
【００２０】
本発明は、遊具装置に垂下される前後に揺動可能なブランコ状遊具に用いられる遊具用ロープ及び、これを用いたブランコ、遊具装置である。そして、本発明の遊具用ロープは、ねじれに対する耐久性を有する軸芯と、当該軸芯を被覆する弾性部材を備える。更に、遊具用ロープに、遊具装置及びブランコ状遊具の座部とを連結する連結部材とを備えることを特徴とする。上記のように、ねじれに対する耐久性を有する軸芯を被覆する構成を採用することで、上記遊部用ロープのねじれを最小限に抑えることができるので、ロープ同士が絡まって、ユーザの体の一部を挟むことを防止することができる。従って、上記遊具用ロープを遊具装置に備えることで、ユーザの安全に配慮した遊具装置を構成することが可能となり、その産業上の利用可能性は大きい。
【符号の説明】
【００２１】
１００  遊具用ロープ
１１０  軸芯
１２０  連結部材
１３０  弾性部材
１４０  装飾シート
２００  ブランコ
２１０  座部
３００  遊具装置
３２０  アーム
【図１】
2012100725.tif 000003
【図２】
2012100725.tif 000004
【図３】
2012100725.tif 000005
【図４】
2012100725.tif 000006
【図５】
2012100725.tif 000007